(57)【要約】【課題】微少な温度変化を計測可能で、温度履歴記録中にクールメモリに追加で情報書き込みでき、複数の温度履歴データ管理に優れた温度記録装置を提供する。【解決手段】  温度を時刻とともに温度履歴として計測可能な半導体チップと、温度履歴データと文字データとを含む温度管理情報を保存可能なメモリとを、底面を有する中空円筒状筐体内に格納し、さらに該中空円筒状筐体は、該底面と対向する側に円板状受板を有し、該円板状受板は、中空円筒状筐体の外径より大きい部分を有する。【選択図】図２
2008304483.tif 000002
【特許請求の範囲】
【請求項１】
温度を時刻とともに温度履歴として計測可能な半導体チップと、温度履歴データと文字データとを含む温度管理情報を保存可能なメモリとを、底面を有する中空円筒状筐体内に格納し、さらに該中空円筒状筐体は、該底面と対向する側に円板状受板を有し、該円板状受板は、前記中空円筒状筐体の外径より大きい部分を有することを特徴とする温度記録装置。
【請求項２】
前記中空円筒状筐体の円筒状筐体部分を固定バンドに形成された孔に嵌合させ、前記円板状受板の一部分が前記固定バンドに接触することを特徴とする請求項１に記載の温度記録装置。
【請求項３】
前記固定バンドは、動物の体温を測定できる個所に取り付けることを特徴とする請求項２に記載の温度記録装置。
【発明の詳細な説明】
【技術分野】
【０００１】
本発明は、温度管理用機器に関し、特に温度履歴を記憶できるクールメモリを使用し、測定対象の温度管理を容易にできる温度記録装置に関する。
【背景技術】
【０００２】
従来の技術として、輸送物にクールメモリを取り付け、温度履歴を記録して測定後にデータを取り込み、温度管理する温度記録システムがある（例えば特許文献１）。
【０００３】
この温度管理システムは、温度分解能０．５℃を有するクールメモリと、クールメモリの温度履歴データを読み込んでグラフを描画したり、設定した温度域の範囲内で温度調整ができていたかどうか判断する機能を有する端末装置とを備え、端末を用いて視覚的な温度管理が可能である。
【特許文献１】特開２００２−３７２４６０号公報
【発明の開示】
【発明が解決しようとする課題】
【０００４】
しかし、従来の温度管理システムによると、温度分解能は０．５℃が限界であり、微少な温度変化を示す生物等の体温測定ができないという問題がある。また、クールメモリには初期設定でのみ覚え書きとしての文字情報書き込みが可能であり、初期設定後の追記ができないため情報管理に優れないという問題がある。また、外部機器で温度履歴データを扱うために、端末がグラフデータをｃｓｖデータ等の文字列データに変換できるのは単一データのみであり、複数処理に対応していないため多数対象の温度管理に不向きであるという問題がある。
【０００５】
従って、本発明の目的は微少な温度変化を計測可能で、温度履歴記録中にクールメモリに追加で情報書き込みでき、複数の温度履歴データ管理に優れた温度記録装置を提供することにある。
【課題を解決するための手段】
【０００６】
請求項１に係る発明は、温度を時刻とともに温度履歴として計測可能な半導体チップと、温度履歴データと文字データとを含む温度管理情報を保存可能なメモリとを、底面を有する中空円筒状筐体内に格納し、さらに該中空円筒状筐体は、該底面と対向する側に円板状受板を有し、該円板状受板は、前記中空円筒状筐体の外径より大きい部分を有することを特徴とする。
【０００７】
請求項２に係る発明は、請求項１に記載の発明において、前記中空円筒状筐体の円筒状筐体部分を固定バンドに形成された孔に嵌合させ、前記円板状受板の一部分が前記固定バンドに接触することを特徴とする。
【０００８】
請求項３に係る発明は、請求項２に記載の発明において、前記固定バンドは、動物の体温を測定できる個所に取り付けることを特徴とする。
【発明の効果】
【０００９】
本発明によれば、微少な温度変化を計測可能で、温度履歴記録中にクールメモリに追加で情報書き込みでき、複数の温度履歴データ管理に優れた温度記録装置を構成することができる。
【発明を実施するための最良の形態】
【００１０】
以下に、本発明の温度記録システムの実施の形態を図面を参考にして詳細に説明する。
【００１１】
図１は、本発明の実施の形態に関する温度記録装置の取り付け例を示す概略図である。
【００１２】
温度記録装置１は、温度を一定時間おきに計測し温度履歴データとして保存するクールメモリ１０と、クールメモリ１０を測定対象１Ａに固定するための固定バンド１１からなる。
【００１３】
本実施の形態においては、測定対象１Ａである犬等のペットの腹部に、クールメモリ１０を固定バンド１１で取り付け、地面からの輻射熱による体温への影響を測定する。ここで、クールメモリ１０は測定対象１Ａの体温、もしくは測定対象１Ａの表面付近の気温を測定するものとする。
（温度記録装置の構成）
図２（ａ）は、本発明の実施の形態に関する温度記録装置の詳細図である。図２（ｂ）はクールメモリの外観斜視図である。図２（ｃ）はクールメモリの構成を示す断面図である。
【００１４】
温度記録装置１において、クールメモリ１０は、固定バンド１１の測定対象１Ａの腹部に接する計測面１１Ａ側に、わずかに突起させて取り付けられている。クールメモリ１０の受板１００Ｃは、固定バンド１１に埋め込まれており、接地端子１００Ａとデータ入出力端子１００Ｂが露呈されている。
【００１５】
クールメモリ１０は、一方の面に回路パターン形成面１０１Ａを有する回路基板１０１と、一方の面に回路パターン形成面１０２Ａを有しバンプ１０４を介して回路パターン形成面１０１Ａと電気的に接続される半導体チップ１０２と、電源を供給するバッテリ１０３とを接地端子１００Ａと受板１００Ｃより形成される内部空間に設置し、データ入出力端子１００Ｂとシール部材１００Ｄで密閉することにより構成される。
【００１６】
図３（ａ）は本発明の実施の形態に関するクールメモリの構成を示すブロック図である。図３（ｂ）は、図３（ａ）におけるメモリの詳細な構成を示すブロック図である。
【００１７】
クールメモリ１０は、電力の供給によって発振する発振器１１３と、発振器１１３から出力される基準クロックに基づいて回路内の時計機能を制御する時計制御部１１４と、時計制御部１１４から出力される時刻データを一時的に記憶するレジスタ１１２と、クールメモリ１０固有のシリアルナンバーを格納するＩＤ部１１８と、外部機器との間のデータ入出力を制御するインターフェース（Ｉ／Ｆ）部１１７と、リチウム電池からなる電源部１２０（バッテリ１０３）と、任意のデータ（測定温度や、温度記録動作に係る測定間隔等の設定条件を含むデータ）および各種プログラムを格納するメモリ１１１と、０．１℃および０．５℃から選択可能な温度分解能を有し測定温度に応じた温度検出信号を出力する温度センサ１１５と、時計制御部１１４による出力時に温度検出信号をＡ／Ｄ変換してメモリ１１１に出力する計測制御部１１６と、各部を制御する温度記録制御部１１９とを有している。クールメモリ１０の各部は内部バス１１０で接続されている。
【００１８】
メモリ１１１は、温度閾値に基づく温度警報データを格納する温度警報メモリ１１１Ｂと、測定開始時から所定の間隔で入力される温度記録を履歴として格納する履歴メモリ１１１Ｃと、各種のプログラムを格納するプログラムメモリ１１１Ｄと、各メモリ領域への書き込みおよび各メモリ領域からの読み出しを制御するメモリ制御部１１１Ａとを有している。
（端末の構成）
図４は、本発明の実施の形態に関する端末としてのノート型パーソナルコンピュータの概略構成図である。
【００１９】
このノート型パーソナルコンピュータ３は、上ケース３Ａと下ケース３Ｂとから構成され、ヒンジ部により開閉自在に接続されている。下ケース３Ｂに設置された本体機能部３０Ｂは、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部３１Ｂと、ポインティングデバイスとしてのトラックパッド３２Ｂ、および左スイッチと右スイッチを含む決定スイッチ３３Ｂとを有する。上ケース３Ａは、文字や画像等を表示する画像表示部３０Ａを有する。
【００２０】
ノート型パーソナルコンピュータ３には、クールメモリ１０の情報を読み取るための読取機２が接続されている。読取機２は、クールメモリ１０に直接接続する読取部２Ａと、モジュラージャック２０Ａと接続するためのモジュラーポート２０Ｂを設けた信号変換部２Ｂと、ノート型パーソナルコンピュータ３と接続するためのＵＳＢコネクタ２Ｃとを有する。
【００２１】
図５（ａ）および（ｂ）は、本発明の実施の形態に関する温度記録装置と読取機の接続を示す斜視図である。
【００２２】
読取機２は、読取部２Ａをクールメモリ１０に点線矢印の向きからはめ込むことにより、接地端子１００Ａとデータ入出力端子１００Ｂとに電気的に接続される。
（表示画面の構成）
図６は、本発明の実施の形態に関する温度記録システムの端末画像表示部に表示される表示画面を示す概略図である。
【００２３】
表示画面３００は、ノート型パーソナルコンピュータ３の画像表示部３０Ａに表示され、クールメモリ１０内のデータおよび読み取り済みデータを操作するための操作スイッチ群３１０と、グラフの詳細情報を数値や文字で表示するグラフ情報表示部３２０と、グラフ画像を表示するグラフ表示部３３０とを有する。
【００２４】
操作スイッチ群３１０は、クールメモリ１０内のメモリ１１１にアクセスしてデータを詳細表示するクールメモリ情報表示スイッチ３１１と、履歴メモリ１１１Ｃより温度履歴情報を読み込んでグラフを描画するグラフ描画スイッチ３１２と、グラフの描画範囲を設定するためのグラフズームスイッチ３１３と、変更されたグラフの描画範囲を初期状態に戻すグラフ更新スイッチ３１４と、グラフ表示部３３０にグラフコメント３３６を書き込んだり、書き込んだコメントの表示、非表示を切り替えるグラフコメントスイッチ３１５と、グラフを印刷するために印刷命令をプリンタに送信するグラフプリントスイッチ３１６と、グラフデータ３３１をｃｓｖファイル等の文字列データに変換するグラフデータ書き出しスイッチ３１７と、操作を補助する情報を表示するヘルプ呼び出しスイッチ３１８とを有する。
【００２５】
グラフ情報表示部３２０は、描画しているグラフの情報元の名称およびグラフデータ３３１のカラーを示すグラフファイルネーム３２１と、温度中心スライダ３３２Ａと開始時刻スライダ３３３Ａと終了時刻スライダ３３３Ｂの数値を表示するスライダ情報３２２と、表示されているグラフデータ３３１の統計情報を表示するグラフデータ統計情報３２３とを有する。
【００２６】
グラフ表示部３３０は、履歴メモリ１１１Ｃより読み込んだデータを可視的に描画したグラフデータ３３１と、設定された範囲にて温度を表示する温度軸３３２と、設定された範囲にて時間を表示する時間軸３３３と、温度警告メモリ１１１Ｂより読み込んだデータを元に閾値上限を表示する閾値上限表示波線３３４と、閾値下限を表示する閾値下限表示波線３３５と、グラフ表示部３３０内の任意の場所に文字情報を配置可能なグラフコメント３３６とを有する。
【００２７】
図７は、本発明の実施の形態に関する温度記録システムの端末画像表示部に表示されるクールメモリ情報表示画面を示す概略図である。
【００２８】
クールメモリ表示画面３５０は、読取機２に接続されたクールメモリ１０のＩＤ部１１８に格納されたＩＤを表示するクールメモリＩＤ表示部３５１と、読取機２に接続されたクールメモリ１０を検索する検索スイッチ３５２とを有する。
【００２９】
また、クールメモリ表示画面３５０は、接続されたクールメモリ１０が稼働中か停止中かを表示する稼働状態表示部３５３と、測定開始時刻までの待機時間を分単位で示す残り待機時間表示部３５４と、測定開始の時刻を表示する測定開始時間表示部３５５と、クールメモリ１０の温度センサ１１５の温度分解能を０．１℃と０．５℃ステップから選択可能な温度分解能表示部３５６と、温度測定を１分から１４４０分（１日）の間で選択可能な測定間隔表示部３５７とを有する。
【００３０】
また、クールメモリ表示画面３５０は、履歴メモリ１１１Ｃに記録されたデータ数を表示する測定データ数表示部３５８と、メモリ１１１Ｃに保存されているデータ数を表示する保持データ数表示部３５９と、残りメモリ容量を測定データが上回った場合に古いデータに上書きするか否かを表示するメモリ上書き表示部３６０と、メモリ上書き状況を表示するメモリ上書き発生表示部３６１とを有する。
【００３１】
また、クールメモリ表示画面３５０は、温度警告メモリ１１１Ｂに設定された温度閾値上限を表示する温度警告上限表示部３６２と、温度警告メモリ１１１Ｂに設定された温度閾値下限を表示する温度警告下限３６３と、現在の時間表示部３６４と、クールメモリ１０初回動作時からのトータル測定カウント表示部３６５とを有する。
【００３２】
また、クールメモリ表示画面３５０は、読取機２に接続中に自由にメモを書き込むためのメモ入力スイッチ３６６と、メモ内容表示部３６７と、メモリ１１１よりデータを読み取るためのファイル出力スイッチ３６８と、クールメモリ１０のスタート情報を設定するためのスタート設定スイッチ３６９と、クールメモリ１０の稼働状態を停止させる測定停止スイッチ３７０と、図６に示す表示画面３００に戻るための戻るスイッチ３７１とを有する。
（実施の形態の動作）
以下に、本発明の実施の形態における温度記録装置の動作を図１から図７を参照しつつ説明する。
【００３３】
まず、図５（ａ）に示すように、クールメモリ１０の接地端子１００Ａとデータ入出力端子１００Ｂに接続するため、読取機２の読取部２Ａを点線矢印の向きからはめ込む。はめ込むことにより、図５（ｂ）に示すように、クールメモリ１０は読取部２Ａに取り付けられ、読取機２に接続されたノート型パーソナルコンピュータ３は、クールメモリ１０が接続されたことを関知し、クールメモリ１０のメモリ制御部１１１Ａに信号を送ることにより温度警告メモリ１１１Ｂ、および履歴メモリ１１１Ｃより各データを受信する。
【００３４】
ノート型パーソナルコンピュータ３の本体機能部３０Ｂは、受信したデータを処理し、図６に示す表示画面３００を表示させる。操作者は表示画面３００においてデータを編集することができる。
【００３５】
まず、クールメモリ情報表示スイッチ３１１を選択し決定することにより、図７に示すクールメモリ表示画面３５０が表示される。クールメモリ１０は、初期設定では稼働状態表示部３５３が停止中であり、稼働させるためには、スタート設定スイッチ３６９を選択し決定する。スタート設定においては、測定開始時間、温度分解能、測定間隔、メモリー上書きするか否か、温度閾値上限、および温度閾値下限を設定して稼働させることができる。また、メモ入力スイッチ３６６を選択し決定することにより、メモ内容表示部３６７にテキストを入力することができる。なお、テキストはスタート設定時のみならず、測定中であっても随時追加記入が可能である。
【００３６】
次に、図１に示すように、スタート設定を終えたクールメモリ１０は測定対象１Ａの腹部に取り付けられ、地面からの輻射熱による体温への影響を設定された計測間隔で測定し、時間とともに温度履歴として保存する。
【００３７】
温度を測定し終えると、温度記録装置１は取り外され、図５に示すように、再び読取機２にはめ込まれて、図７に示すクールメモリ表示画面３５０が画像表示部３０Ａに表示される。次に、ファイル出力スイッチ３６８を選択し決定することにより、クールメモリ１０はメモリ１１１に保存された情報を読取機２を経由してノート型パーソナルコンピュータ３に送信する。
【００３８】
次に、図６に示す表示画面３００において、グラフ描画スイッチ３１２を選択し決定することにより、ノート型パーソナルコンピュータ３は、温度履歴データをグラフ表示部３３０にグラフデータ３３１、閾値上限表示波線３３４、および閾値下限表示波線３３５として表示する。グラフ表示部３３０は、グラフデータ３３１、閾値上限表示波線３３４、および閾値下限表示波線３３５を複数扱うことができ、表示が可能である。
【００３９】
グラフズームスイッチ３１３を選択し決定することにより、グラフ表示部３３０は、グラフデータ３３１の任意の範囲を拡大表示する。グラフ更新スイッチ３１４を選択し決定することにより、グラフ表示部３３０は、グラフデータ３３１を拡大前の状態に表示する。また、グラフコメントスイッチ３１５を選択し決定することにより、グラフ表示部３３０は、グラフ中の任意の場所にグラフコメント３３６を配置する。以上のグラフ編集を終えた後、グラフプリントスイッチ３１６を選択し決定することにより、ノート型パーソナルコンピュータ３は、接続された図示しないプリンタへと印刷命令を送信し、プリンタはグラフ画像を出力する。
【００４０】
また、グラフデータ書き出しスイッチ３１７を選択し決定することにより、ノート型パーソナルコンピュータ３は、表示中のグラフデータ３３１をｃｓｖファイル等の文字列データに変換する。グラフデータ３３１が複数表示されている場合は、バッチ処理にて一括でｃｓｖファイル変換が可能である。出力されたｃｓｖファイルは、所望のアプリケーションを用いて編集が可能である。
（実施の形態の効果）
上記した実施の形態によると、クールメモリ１０が０．１℃の温度分解能を有するため、生物の体温等の微少な温度変化を測定することが可能となり、ペット等の健康を管理することができる。また、従来の温度分解能である０．５℃にも設定可能であり、高度な温度分解能を必要としない測定対象１Ａにも使用することができる。
【００４１】
また、メモ入力スイッチ３６６を選択し決定することにより、クールメモリ１０に追加でテキスト情報を記憶させることが可能となり、テキスト入力の度にスタート設定をする必要がなくなり、また温度履歴データを含むファイルも分割されずに一元管理できるため、管理操作性向上および管理時間短縮が実現され、トレーサビリティに優れる。
【００４２】
また、グラフデータ書き出しスイッチ３１７を選択し決定することにより、複数のグラフデータ３３１をバッチ処理にて一括でｃｓｖファイルに変換できるため、管理操作性向上および管理時間短縮が実現される。
【００４３】
また、グラフコメントスイッチ３１５を選択し決定することにより、グラフ表示部３３０の任意の場所にグラフコメント３３６を配置できるため、可視的なグラフデータ管理が可能となり情報管理性が向上する。
【図面の簡単な説明】
【００４４】
【図１】本発明の実施の形態に関する温度記録装置の取り付け例を示す概略図である。
【図２】（ａ）は、本発明の実施の形態に関する温度記録装置の詳細図である。（ｂ）はクールメモリの外観斜視図である。（ｃ）はクールメモリの構成を示す断面図である。
【図３】（ａ）は本発明の実施の形態に関するクールメモリの構成を示すブロック図である。（ｂ）は、図３（ａ）におけるメモリの詳細な構成を示すブロック図である。
【図４】本発明の実施の形態に関する端末としてのノート型パーソナルコンピュータの概略構成図である。
【図５】（ａ）および（ｂ）は、本発明の実施の形態に関する温度記録装置と読取機の接続を示す斜視図である。
【図６】本発明の実施の形態に関する温度記録システムの端末画像表示部に表示される表示画面を示す概略図である。
【図７】本発明の実施の形態に関する温度記録システムの端末画像表示部に表示されるクールメモリ情報表示画面を示す概略図である。
【符号の説明】
【００４５】
１…温度記録装置、１Ａ…測定対象、２…読取機、２Ａ…読取部、２Ｂ…信号変換部、２Ｃ…コネクタ、３…ノート型パーソナルコンピュータ、３Ｂ…下ケース、３Ａ…上ケース、１０…クールメモリ、１１…固定バンド、１１Ａ…計測面、２０Ａ…モジュラージャック、２０Ｂ…モジュラーポート、３０Ａ…画像表示部、３０Ｂ…本体機能部、３１Ｂ…文字入力部、３２Ｂ…トラックパッド、３３Ｂ…決定スイッチ、１００Ａ…接地端子、１００Ｂ…データ入出力端子、１００Ｃ…受板、１００Ｄ…シール部材、１０１…回路基板、１０１Ａ…回路パターン形成面、１０２…半導体チップ、１０２Ａ…回路パターン形成面、１０３…バッテリ、１０４…バンプ、１１０…内部バス、１１１…メモリ、１１１Ａ…メモリ制御部、１１１Ｂ…温度警告メモリ、１１１Ｃ…履歴メモリ、１１１Ｄ…プログラムメモリ、１１２…レジスタ、１１３…発振器、１１４…時計制御部、１１５…温度センサ、１１６…計測制御部、１１７…インターフェース部、１１８…ＩＤ部、１１９…温度記録制御部、１２０…電源部、３００…表示画面、３１０…スイッチ群、３１０…操作スイッチ群、３１１…クールメモリ情報表示スイッチ、３１２…グラフ描画スイッチ、３１３…グラフズームスイッチ、３１４…グラフ更新スイッチ、３１５…グラフコメントスイッチ、３１６…グラフプリントスイッチ、３１７…グラフデータ書き出しスイッチ、３１８…ヘルプ呼び出しスイッチ、３２０…グラフ情報表示部、３２１…グラフファイルネーム、３２２…スライダ情報、３２３…グラフデータ統計情報、３３０…グラフ表示部、３３１…グラフデータ、３３２…温度軸、３３２Ａ…温度中心スライダ、３３３…時間軸、３３３Ａ…開始時刻スライダ、３３３Ｂ…終了時刻スライダ、３３４…閾値上限表示波線、３３５…閾値下限表示波線、３３６…グラフコメント、３５０…クールメモリ表示画面、３５１…クールメモリＩＤ表示部、３５２…検索スイッチ、３５３…稼働状態表示部、３５４…残り待機時間表示部、３５５…測定開始時間表示部、３５６…温度分解能表示部、３５７…測定間隔表示部、３５８…測定データ数表示部、３５９…保持データ数表示部、３６０…メモリ上書き表示部、３６１…メモリ上書き発生表示部、３６２…温度警告上限表示部、３６３…温度警告下限表示部、３６４…時間表示部、３６５…トータル測定カウント表示部、３６６…メモ入力スイッチ、３６７…メモ内容表示部、３６８…ファイル出力スイッチ、３６９…スタート設定スイッチ、３７０…測定停止スイッチ、３７１…戻るスイッチ
【図１】
2008304483.tif 000003
【図２】
2008304483.tif 000004
【図３】
2008304483.tif 000005
【図４】
2008304483.tif 000006
【図５】
2008304483.tif 000007
【図６】
2008304483.tif 000008
【図７】
2008304483.tif 000009